【手続補正書】
【提出日】平成17年7月13日(2005.7.13)
【手続補正１】
【補正対象書類名】明細書
【補正対象項目名】特許請求の範囲
【補正方法】変更
【補正の内容】
【特許請求の範囲】
【請求項１】
コンピュータ・システムにおいて、
プロセッサと、
前記プロセッサに接続されたディスプレイと、
前記プロセッサに接続されたディスクと、
前記プロセッサに接続されたキーボードと、
前記プロセッサに接続され、オーディオ信号を発生するためのコーディック（符号／復号器）と、
前記コンピュータ・システムに電力を供給するための電源であって、該電源からの電力の適正状態を示すステータス信号を有している電源と、
前記ステータス信号を受け取るよう結合された遅延発生器であって、前記ステータス信号のアサートから所定の時間後にアサートされ、該ステータス信号がデアサートされると同時にデアサートされる出力を有する遅延発生器と、
前記オーディオ信号を増幅するための増幅器であって、電源入力を有し、かつ利得ファクタを受け取るよう構成された増幅器と、
前記遅延発生器の出力及び前記増幅器に接続されて、該増幅器に利得ファクタを供給する利得制御回路であって、前記遅延発生器の出力のアサートが生じるときに前記増幅器をミューティングするために、該増幅器の利得をゼロにし、それ以外の場合は利得ファクタでオーディオ信号を増幅するように、前記増幅器を制御するための利得制御回路と、
前記電源と前記増幅器の電源入力端子との間に接続された電源スイッチであって、電力が前記電源からのみ前記増幅器の電源入力端子に供給されるようにする電源スイッチと、
前記増幅器の電源入力端子に接続されたエネルギ・レゾルバと
を備えていることを特徴とするコンピュータ・システム。
【請求項２】
請求項１記載のコンピュータ・システムにおいて、前記遅延発生器は、前記ステータス信号に結合される第１の入力端子と、抵抗とキャパシタンスとに接続された第２の入力端子とを有するＡＮＤゲートを備えていることを特徴とするコンピュータ・システム。
【請求項３】
請求項２記載のコンピュータ・システムにおいて、前記所定の時間は、前記抵抗とキャパシタンスとによって定められることを特徴とするコンピュータ・システム。
【請求項４】
請求項１記載のコンピュータ・システムにおいて、前記エネルギ・レゾルバは、１または複数のキャパシタンスで構成されていることを特徴とするコンピュータ・システム。
【請求項５】
請求項１記載のコンピュータ・システムにおいて、前記増幅器は、前記オーディオ信号を受け取るオーディオ入力端子を有し、該システムはさらに、前記オーディオ信号と前記オーディオ入力端子との間に接続されたローパス・フィルタを備えていることを特徴とするコンピュータ・システム。
【請求項６】
請求項５記載のコンピュータ・システムにおいて、前記ローパス・フィルタは、
第１及び第２の端子を有し、該第１の端子が前記オーディオ入力端子に接続された第１の抵抗と、
第１の端子と第２の端子を有する第２の抵抗と、第１の端子と第２の端子を有する第１のキャパシタンスとであって、これらの第１の端子が前記第１の抵抗の前記第２の端子に接続され、これら第２の端子がアースに接続されている第２の抵抗及び第１のキャパシタンスと、
前記第１の抵抗の前記第２の端子に接続された第１の端子と、前記増幅器の前記オーディオ入力端子に接続された第２の端子とを有する第２のキャパシタンスと
を備えていることを特徴とするコンピュータ・システム。
【請求項７】
請求項１記載のコンピュータ・システムにおいて、該システムはさらに、前記ステータス信号と前記ミューティング・スイッチの制御入力端子との間に接続された電磁的干渉フィルタを備えていることを特徴とするコンピュータ・システム。
【請求項８】
請求項７記載のコンピュータ・システムにおいて、前記干渉フィルタは、
前記ステータス信号に結合された第１の端子と前記ミューティング・スイッチの制御入力端子に接続された第２の端子とを有する抵抗と、
前記ミューティング・スイッチの制御入力端子に接続された第１の端子とアースに接続された第２の端子とを有するキャパシタと
を備えていることを特徴とするコンピュータ・システム。
【請求項９】
請求項１記載のコンピュータ・システムにおいて、前記電源スイッチは、カソードとアノードとを有するダイオードを備え、該アノードは前記電源に接続され、前記カソードは前記増幅器の電源入力端子に接続されていることを特徴とするコンピュータ・システム。
【請求項１０】
請求項１記載のコンピュータ・システムにおいて、前記コーディックはさらに第２のオーディオ信号を発生し、該システムはさらに、
前記第２のオーディオ信号を増幅する第２の増幅器であって、電源入力端子を有し、かつ第２の利得ファクタを受け取るよう構成されている第２の増幅器と、
前記遅延発生器の出力端子と前記第２の増幅器とに接続されて、該第２の増幅器に利得ファクタを供給する第２の利得制御回路であって、前記遅延発生器の出力がアサートされたときに前記第２の増幅器の利得をゼロにして該第２の増幅器をミューティングし、それ以外の場合に前記第２の増幅器が第２の利得ファクタで前記第２のオーディオ信号を増幅するように、制御する第２の利得制御回路と、
前記電源と前記第２の増幅器の電源入力端子との間に接続された第２の電源スイッチであって、前記電源からのみ前記第２の増幅器の電源入力端子に電力を供給するようにするための第２の電源スイッチと、
前記第２の増幅器の電源入力端子に接続された第２のエネルギ・レゾルバと
を備えていることを特徴とするコンピュータ・システム。
【請求項１１】
コンピュータ・システムにおいて、
プロセッサと、
前記プロセッサに接続されたディスプレイと、
前記プロセッサに接続されたディスクと、
前記プロセッサに接続されたキーボードと、
前記プロセッサに接続され、オーディオ信号を発生するためのコーディックと、
前記コンピュータ・システムに電力を供給するための電源であって、該電源からの電力の適正状態を示すステータス信号を有している電源と、
前記ステータス信号を受け取るよう結合された遅延発生器であって、前記ステータス信号のアサートから所定の時間後にアサートされ、該ステータス信号がデアサートされると同時にデアサートされる出力を有する遅延発生器と、
前記オーディオ信号を増幅するための増幅器であって、電源入力端子を有し、かつ利得ファクタを受け取るよう構成された増幅器と、
前記電源と前記増幅器の電圧入力端子との間に接続された電源スイッチであって、前記電源からのみ前記増幅器の電圧入力端子に電力を供給するようにするための第２の電源スイッチと、
前記第増幅器の電圧入力端子に接続されたエネルギ・レゾルバと、
前記遅延発生器の出力端子に接続されたミューティング・スイッチであって、前記増幅器のボリューム制御入力端子に接続された出力端子を有し、前記遅延発生器の出力のアサートが生じたときに該増幅器をミューティングするためのミューティング・スイッチと
を備えていることを特徴とするコンピュータ・システム。
【請求項１２】
請求項１１記載のコンピュータ・システムにおいて、前記遅延発生器は、前記ステータス信号に結合される第１の入力端子と、抵抗とキャパシタンスとに接続された第２の入力端子とを有するＡＮＤゲートを備えていることを特徴とするコンピュータ・システム。
【請求項１３】
請求項１２記載のコンピュータ・システムにおいて、前記所定の時間は、前記抵抗とキャパシタンスとによって定められることを特徴とするコンピュータ・システム。
【請求項１４】
請求項１１記載のコンピュータ・システムにおいて、前記エネルギ・レゾルバは、１または複数のキャパシタンスで構成されていることを特徴とするコンピュータ・システム。
【請求項１５】
請求項１１記載のコンピュータ・システムにおいて、前記増幅器は、前記オーディオ信号を受け取るオーディオ入力端子を有し、該システムはさらに、前記オーディオ信号と前記オーディオ入力端子との間に接続されたローパス・フィルタを備えていることを特徴とするコンピュータ・システム。
【請求項１６】
請求項１５記載のコンピュータ・システムにおいて、前記ローパス・フィルタは、
第１及び第２の端子を有し、該第１の端子が前記オーディオ入力端子に接続された第１の抵抗と、
第１の端子と第２の端子を有する第２の抵抗と、第１の端子と第２の端子を有する第１のキャパシタンスとであって、これらの第１の端子が前記第１の抵抗の前記第２の端子に接続され、これら第２の端子がアースに接続されている第２の抵抗及び第１のキャパシタンスと、
前記第１の抵抗の前記第２の端子に接続された第１の端子と、前記増幅器の前記オーディオ入力端子に接続された第２の端子とを有する第２のキャパシタンスと
を備えていることを特徴とするコンピュータ・システム。
【請求項１７】
請求項１１記載のコンピュータ・システムにおいて、該システムはさらに、前記ステータス信号と前記ミューティング・スイッチの制御入力端子との間に接続された電磁的干渉フィルタを備えていることを特徴とするコンピュータ・システム。
【請求項１８】
請求項１７記載のコンピュータ・システムにおいて、前記干渉フィルタは、
前記ステータス信号に結合された第１の端子と前記ミューティング・スイッチの制御入力端子に接続された第２の端子とを有する抵抗と、
前記ミューティング・スイッチの制御入力端子に接続された第１の端子とアースに接続された第２の端子とを有するキャパシタと
を備えていることを特徴とするコンピュータ・システム。
【請求項１９】
請求項１１記載のコンピュータ・システムにおいて、前記電源スイッチは、カソードとアノードとを有するダイオードを備え、該アノードは前記電源に接続され、前記カソードは前記増幅器の電源入力端子に接続されていることを特徴とするコンピュータ・システム。
【請求項２０】
請求項１１記載のコンピュータ・システムにおいて、前記コーディックはさらに第２のオーディオ信号を発生し、該システムはさらに、
前記第２のオーディオ信号を増幅する第２の増幅器であって、電源入力端子を有し、第２の利得ファクタを受け取るよう構成されている第２の増幅器と、
前記電源と前記第２の増幅器の電源入力端子との間に接続された第２の電源スイッチであって、前記電源からのみ前記第２の増幅器の電源入力端子に電力を供給するようにするための第２の電源スイッチと、
前記第２の増幅器の電源入力端子に接続された第２のエネルギ・レゾルバと、
前記遅延発生回路の出力端子に接続された制御入力端子と前記第２の増幅器のボリューム制御入力端子に接続された出力端子とを有する第２のミューティング・スイッチであって、前記遅延発生回路の出力のアサートが生じたときに前記第２の増幅器をミューティングする第２のミューティング・スイッチと
を備えていることを特徴とするコンピュータ・システム。